(57)【要約】      （修正有）【課題】履物のヒール部内に画定された弾性ゴアを含むスリッポン型履物を提供する。【解決手段】履物のヒール部２６では、１つまたは複数のアッパーパネルが協働して、周縁４２によって境界を定められる凹部５４（ゴアと呼ぶこともある）を画定する。弾性パネルは、周縁に沿って固定され、１つまたは複数のアッパーパネルと協働して、足をアッパーに挿入する開口４０をさらに画定する。弾性パネルは、使用者が足を履物に挿入したときにゴアが開き見え、開口が拡がるように伸縮可能であるとともに弾性である。ヒールフラップ５２はゴアの下のヒール領域にあるアッパーパネルに固定されて、弾性パネルの伸縮を阻止せずにゴアおよび弾性パネルを覆い隠すようにする。ヒールフラップはまた、履物に構造的剛性を付加する。【選択図】図１
2004160234.tif 000002
【特許請求の範囲】
【請求項１】
前足部およびヒール部を有する履物製品アッパーであって、
該ヒール部の第１の端で終端する第１のパネルと、
該ヒール部の第２の端で終端する第２のパネルと、
該第１の端および該第２の端と接合した、前記ヒール部に略全体が配置された弾性材とを備え、
前記第１の端および前記第２の端は、該アッパーに足を挿入することができるように、互いから離れるように移動可能であるとともに互いに向って伸縮可能である、履物製品アッパー。
【請求項２】
前記弾性材を覆い隠す、前記第１のパネルおよび前記第２のパネルの少なくとも一方に固定される第３のパネルを含む、請求項１に記載のアッパー。
【請求項３】
前記第１の端は第１の部分および第２の部分を有し、
前記第２の端は第３の部分および第４の部分を有し、
前記第１の部分は、前記第３の部分と接合され、
前記弾性材は、前記第２の部分および前記第４の部分と接合される、
請求項１に記載のアッパー。
【請求項４】
前記第１の部分および前記第２の部分の少なくとも一方に固定され、前記弾性材を覆う第３のパネルを含む、請求項３に記載のアッパー。
【請求項５】
前記第３のパネルは、前記第１の部分および前記第３の部分に固定され、前記ヒール部に構造的剛性を付加する、請求項４に記載のアッパー。
【請求項６】
前記第１のパネルおよび前記第２のパネルは、前記前足部にて互いに一体に接合される、請求項１に記載のアッパー。
【請求項７】
前記第１のパネル、前記第２のパネル、および前記弾性材は、協働して、足を挿入する開口の少なくとも一部を画定し、
前記弾性材は、足を前記開口から挿入したときに前記開口が拡がるようにすることができる、請求項１に記載のアッパー。
【請求項８】
履物構造であって、
ヒール部を有するアッパーであって、該履物に足を挿入する開口を画定するとともに、縁によって境界を定められるゴアを前記ヒール部内に画定するアッパーと、
前記縁に固定される伸縮可能な部材であって、該伸縮可能な部材が伸張したときに前記開口が拡がる伸縮可能な部材と、
前記アッパーに固定されるアウトソールと
を備える履物構造。
【請求項９】
前記ヒール部に配置され、前記伸縮可能な部材の少なくとも一部を視界から隠すヒールフラップを含む、請求項８に記載の履物構造。
【請求項１０】
前記ヒール部は、前記開口に隣接した第１の部分および前記アウトソールに隣接した第２の部分を含む深さを有し、
前記ゴアは、前記第１の部分内に画定され、前記ヒールフラップは前記第２の部分内にて前記アッパーに固定される、請求項９に記載の履物構造。
【請求項１１】
前記アッパーは内側および外側を有する、請求項７に記載の履物構造。
【請求項１２】
前記伸縮可能な部材の伸縮を阻止せずに前記伸縮可能な部材を覆い隠す、前記内側および前記外側に固定されるカバーパネルを含む、請求項１１に記載の履物構造。
【請求項１３】
前記アッパーに固定され、前記ゴアを覆うように配置されるカバーを含む、請求項７に記載の履物構造。
【請求項１４】
前記ゴアは、実質的に前記ヒール部内にのみ画定される、請求項１３に記載の履物構造。
【請求項１５】
履物構造であって、
アウトソールと、
ヒール部を有する、該アウトソールと接合したアッパーであって、足が挿入される開口を画定するとともに、前記ヒール部に凹部を画定するアッパーと、
該アッパーの前記凹部に固定される可撓性弾性材と
を備え、
該部材は、該履物構造に足を挿入したときに開口が拡がるように伸張する、履物構造。
【請求項１６】
前記部材の伸縮を阻止せずに前記部材を覆い隠すヒールパネルを含む、請求項１５に記載の履物構造。
【請求項１７】
履物を製造する方法であって、
開口を画定するとともに、前足部およびヒール部を有し、該ヒール部内にゴアを画定するアッパーを設けること、
該アッパーの前記ゴア内に弾性材を固定すること、および
前記アッパーをアウトソールと接合すること
を含む、履物を製造する方法。
【請求項１８】
前記開口は、周縁により境界を定められ、前記弾性材は、前記ヒール領域の周縁の一部を形成する、請求項１７に記載の方法。
【請求項１９】
前記弾性材は、足を前記開口から挿入したときに前記開口が拡がるように伸縮可能である、請求項１７に記載の方法。
【請求項２０】
前記アッパーにヒールフラップを固定することであって、それにより前記弾性材および前記ゴアの少なくとも一方を覆い隠す、ヒールフラップを固定することを含む、請求項１７に記載の方法。
【請求項２１】
ヒール領域および前足領域を有する履物アッパーを製造する方法であって、
該前足領域内に第１のパネルを設けること、
前記ヒール領域の第１のエリアで第２のパネルと第３のパネルそれぞれを互いに接合すること、および
前記ヒール領域の第２のエリアで前記第２のパネルと第３のパネルを弾性材に接合することを含み、
前記弾性材により、前記第２のパネルおよび前記第３のパネルが前記ヒール領域で互いに相対して移動することができる、履物アッパーを製造する方法。
【請求項２２】
前記第１の領域に、前記弾性材を覆い隠すヒールフラップを固定することを含む、請求項２１に記載の方法。
【請求項２３】
前記第２のパネルおよび前記第３のパネルの互いに相対する移動を制限せずに、カバーにより前記弾性材の少なくとも一部を覆うことを含む、請求項２１に記載の方法。
【請求項２４】
前記第１のパネル、前記第２のパネル、および前記第３のパネルは、互いに一体に接合されて単一片材を形成する、請求項２１に記載の方法。
【発明の詳細な説明】
【技術分野】
【０００１】
本発明は履物に関し、特に、スリッポン型の履物製品アッパー、履物構造および該履物構造を作製する方法に関する。
【背景技術】
【０００２】
仕事用、ウォーキング用、および競技用のデザインを含め、多くの従来の履物デザインにより、使用者は実質的に手を使用せずに履物を容易に履くことができる。これらのデザインは、一般に「スリッポン型」デザインと呼ばれる。通常、使用者は、単に履物の開口から足を挿入して足を前に押し込むことによりスリッポン型履物を着用する。
【０００３】
一般的なスリッポン型デザインは、「ツインゴア（twin gore）」デザインである。このデザインの履物は、履物の前足領域にて足の両側に単一のゴアを画定している。具体的には、ゴアは、甲被（vamp）（すなわち足指と前足の上部を覆う履物の部分）と側部パネル（side panel）（すなわち足の内側と外側を覆う履物の前足部）との間隙によって画定される。弾性材片がゴア内にて甲被と各側部パネルに固定される。弾性材は、甲被と各側部パネルとの間にはっきり目に見える。
【０００４】
ツインゴア付き履物は足に着用することが容易であるが、この理由は、足を履物に挿入したときに弾性材により甲被が側部パネルから離れるように移動することができるため、前足の上部に空間がより多く生じ、続いて足の残りの部分を靴に滑り込ませることができるからである。足が履物に完全に差し込まれた後、弾性材が収縮して甲被が前足の上部に合致する。
【発明の開示】
【発明が解決しようとする課題】
【０００５】
ツインゴアデザインは、使用者が履物を容易に着用できるようにするにもかかわらず多くの欠点がある。第１に、ツインゴアデザインの履物は、多くの場合、着用者の足にしっかりと固定されていないように感じられる。この感触は、前足によりゴア内の弾性材が伸張され、甲被が側部パネルから離れるように移動することに起因すると考えられる。その結果、着用者が歩行時に足を踏み出す際に、使用者の踵が靴から部分的にずれる。このような特性は、特に過酷な動きを行っている場合、履物に対する着用者の信頼感を少なくさせる。第２に、ツインゴアデザインによっては、ゴア内の目に見える弾性材が履物の審美性を損ねるものある。第３に、十分に保護されていない場合、ゴア内の弾性材が、着用者がその前足の上部と当たり得る障害物に繰り返しさらされることで破けるか擦れることになりかねない。その結果、甲被が側部パネルから恒久的に分離するため、履物の安全性を損なう。第４に、着用者の前足が比較的長い場合、ツインゴアデザインに関して、甲被は着用者の足を靴に容易に挿入されるほど十分には側部パネルから離れない場合が多いことが分かっている。したがって、着用者は、労力を要して足にかなりの力をかけて靴を履かねばならない。実際に、このことはツインゴアデザインの目的を無にしている。
【０００６】
上記の問題は、履物のヒール部に画定された弾性ゴアを含むスリッポン型履物を提供する本発明において克服される。履物のアッパーは、アッパーのヒール部にゴアを画定し、可撓性弾性材がアッパーのゴア内に固定される。この弾性材は、使用者が履物に足を容易に挿入することができるよう、アッパーにより画定される開口を拡げることができるように伸縮可能である。
【課題を解決するための手段】
【０００７】
一実施形態では、履物のアッパーは、互いに固定されているとともに協働して履物のアッパーのヒールに凹部またはゴアを画定する側部パネルを有する。弾性材が側部パネルの縁のゴア内に固定される。任意選択的に、単一のヒールパネルがヒール部の側部パネルと代替されるか、またはその側部パネルに固定される場合、ヒールパネルがゴアを画定し、弾性材がヒールパネルに固定される。弾性材により側部パネルが互いに離れるように移動することができ、それによって着用者の足を履物に挿入することが容易となる。
【０００８】
特定の実施形態では、ヒールフラップ（heel flap）(カバーパネルと呼ばれることもある)は、弾性材を覆うように配置され、アッパーに固定される。ヒールフラップは、伸縮するとともに履物に足を挿入することを容易にする弾性材の能力を阻害せずに弾性材およびゴアの少なくとも一部を覆い隠す。任意選択的に、ヒールフラップは、アッパーの外側に固定され、弾性材を覆うように折り返され、かつアッパーの内側でも同じくアッパーに固定される。
【０００９】
さらに特定の実施形態では、ヒールフラップは履物のヒール部のゴアの下のエリアのアッパーに固定されて、ヒール部の履物の剛性を増大させる。
【００１０】
本発明のスリッポンシステムを組み込んだ履物は、（ａ）開口を画定するとともにアッパーのヒール部にゴアを画定するアッパーを設けるステップと、（ｂ）弾性材をアッパーのゴア内に固定するステップ（ｂ）と、（ｃ）アッパーをアウトソールと接合するステップと、の一般的なステップを用いて製造される。任意選択的に、ヒールフラップは、足が開口から挿入したときに開口が拡がるように弾性材が伸縮することを制限または阻止せずに弾性材の全てまたは一部を覆い隠すよう、弾性材を覆うように配置される。
【００１１】
本発明は、これまで達成されていない、足に履くのが容易であることと着用した際に足にしっかりとした固定感があることを兼ね備えた、特有のスリッポン型履物構造を提供する。アッパーのヒール領域内に弾性ゴアがある場合では、履物の前足のパネルは、激しい動きの際でも互いに関して相対的に不動のままである。したがって、着用者の踵が浮き上がって履物のヒール部からはみ出る可能性が少ない。さらに、弾性材が履物のヒールに配置されている場合では、着用者が歩く際に遭遇する障害物によって擦れたり破れたりする可能性が少ない。さらに、弾性材を覆うヒールフラップを有する本発明の履物では、弾性材はさらに、履物への足の挿入の妨げを防止される。さらに、ヒールフラップがゴアを覆う場合では、履物は、すっきりとした流線形の外観を有する。最後に、ヒールフラップが履物のヒール部内のゴアの下でアッパーに固定される場合では、履物は優れた構造的剛性を示す。
【００１２】
本発明の上記目的および他の目的、利点、ならびに特徴は、本発明の詳細な説明および図面の参照により、より容易に理解かつ認識されることであろう。
【発明を実施するための最良の形態】
【００１３】
Ｉ．概説
本発明の一実施形態に従って構成された履物は、図１〜図６に示され、全体的に１０で示されている。靴１０は、アウトソール３０と接合したアッパー２０を有する。アッパー２０は開口４０を画定しており、この開口から足が入れられ、着用者の足を靴１０に滑り込ませるようにする。アッパー２０および靴１０は、前足部２８およびヒール部２６に概ね分けられる。スリッポンシステム５０はヒール部２６に組み込まれ、概して、アッパーのヒール部２６に画定される凹部すなわちゴア５４を有する。可撓性弾性材５６がアッパー２０のゴア５４内に固定される。
【００１４】
本発明を、一体パネルから構成されるアッパーを有するカジュアル靴に関して説明する。たとえば、靴の甲被２３および側部パネル２２、２４は、一体片材から構成される。理解されるように、本発明は、他の形式の靴底付き履物、および用途の必要に応じて複数のパネル付きアッパーによる使用にも十分に適している。
ＩＩ．構造
【００１５】
次に、本発明の靴１０の構成部材をより詳細に説明する。アッパー２０は、スリッポンシステム５０を含み、従来のようにアウトソール３０に固定される。
【００１６】
図１〜図３に示すように、アッパー２０は概して、甲被２３および側部パネル２２、２４を形成する一体片材を有する。しかしながら、アッパーは、別々の材料から構成される別個のパネルに分割され、従来のように互いに固定されてもよい。任意選択的に、図示の甲被２３および側部パネル２２、２４は、他の従来の履物パネルと代替することができ、たとえば、甲被２３は組紐システムを含む一片のパネルまたは複数片のパネルと代替することができる。
【００１７】
アッパー２０はまた、周縁４２により境界を定められた開口４０を画定する。開口４０はアッパーの入口となっており、その開口から足を挿入してアッパー２０内に足を配置し、効果的に履物１０を履くことができる。図示のように、甲被２３および側部パネル２２、２４は周縁の一部分を形成し、後述するスリッポンシステム５０の可撓性パネル５６が周縁４２の別部分を形成する。任意選択的に、周縁はクッション材を含んでもよい。
【００１８】
アッパー２０ならびに履物１０は概して、ヒール部２６と前足部２８に分けられる。靴の構造に応じて、ヒール部２６と前足部２８の実際の境界は、用途の必要に応じて図面に示したものと違ってもよい。図４に示すように、アッパー２０のヒール部２６は先端２７も含み、この先端２７は、履物の最後部をヒール部に隣接して画定する。
【００１９】
アッパー２０の構成部材は、革、キャンバス、ナイロン、または他の適した材料から製造することができ、ライナー（図示せず）または他の従来の付属物を含み得る。
【００２０】
アウトソール３０は、縫合、接着、ステープル留め、あるいは他の締結要素により固定するなどによって従来のようにしてアッパーに固定される従来の硬質アウトソールであってもよい。任意選択的に、アウトソール３０は、内部にフットベット（図示せず）が敷かれるアウトソールシェルとすることができる。
【００２１】
図１および図３を参照すると、スリッポンシステム５０が靴１０内に、好ましくはヒール部２６の内部にある。スリッポンシステム５０により、側部パネルが互いに離れるように移動することができ、アッパー２０の深さＤの少なくとも一部にゴア５４が画定される。より一般には、スリッポンシステム５０により、足を開口４０から挿入したときに開口４０が拡がるようにすることができる。
【００２２】
スリッポンシステムでは、ヒール部２６のアッパー２０は、縁５５（周縁または境界とも呼ばれる）によって境界を定められる凹部（ゴアまたは開口とも呼ばれる）５４を画定する。特定の実施形態では、図４に示すように、アッパー２０はヒール部２６の先端２７にゴアを画定しているが、ゴアは、用途の必要に応じてヒール部内の先端２７を越えて延在してもよい。任意選択的に、ゴアは履物のヒール部にのみ実質的に画定されることができ、別の実施形態では、ゴアは先端領域にのみ実質的に画定されることができる。より特定の実施形態では、ゴアは深さＤの上半分のところに画定され、さらにより具体的な実施形態では、ゴアは深さＤの上側の３分の２のところに画定される。しかしながら、所望に応じて、ゴアはアッパー２０の深さＤの任意の部分に画定されてもよい。
【００２３】
図１および図３に示すように、ゴア５４は、アウトソール３０に最も近い下部で丸みを付けられており、アッパー２０の深さＤの上部で外側にテーパ状になっている。任意選択的に、ゴアは、正方形状、矩形状、三角形状、Ｖ字形状などが挙げられるがこれらに限定されないあらゆる形状または構成とすることができる。
【００２４】
図３を参照すると、側部パネル２２、２４の自由端部はゴア内に縁５５を画定し、ゴア５４の下で互いに接合している。パネルは、一実施形態ではアッパー２０の深さＤの下半分のところで接合し、別の実施形態では深さＤの下側の３分の１のところで接合する。しかしながら、所望であれば、パネルは深さＤの任意の部分で接合することができる。さらに、パネルは縫合、ステープル、リベット、接着剤など、任意の従来の締結手段により接合され得る。任意選択的に、一実施形態では、ヒールパネル（図示せず）が側部パネル２２、２４を接合するか、またはそれらと接合される場合、ヒールパネルは、ゴアを画定して縁５５を形成する。
【００２５】
パネルすなわち弾性材５６は、従来の締結手段、たとえば図示のように縫合部５７によるか、あるいは接着剤、リベット、ステープル等、他の締結手段によりゴア５４の縁５５に固定される。パネルは、たとえば弾性材、ネオプレン、合成ゴム、ゴム等の可撓性弾性材から構成される。パネル５６は、好ましくは足が開口４０から挿入されたときにパネル２２、２４が図３にて矢印で示した方向に互いに離れるように移動することができるように弾性かつ可撓性である。任意選択的に、パネル５６はまた、足が履物１０に完全に挿入された後、パネル２２、２４を互いに向けて元に戻す。
【００２６】
図１および図３に示すように、パネル５６は、全縁に沿ってゴア５４の縁に固定されて、概ねゴアと同じ形状である。しかしながら、用途の必要に応じて、弾性パネルはゴアと異なる形状であってもよい。さらに、パネル５６は、ゴアの両側の縁の部分に固定されてもよい。たとえば、パネル５６は周縁４２に隣接した縁５５に固定されてもよい。ただし、ゴア５４の最下部の丸み部分の縁５５には固定されない。
【００２７】
図１〜図３を参照すると、ゴア５４は、パネル５６が周縁４２の一部分を形成するように、アッパーによって画定された開口４０の周縁４２と一致していてもよい。さらなる縫合（図示せず）を周縁に隣接したパネル５６に加えて、周縁４２にパネル５６を固定して耐久性を増大させることができる。
【００２８】
図３〜図５を参照すると、スリッポンシステム５０は、任意選択的にヒールフラップ（カバーまたはカバーパネルとも呼ばれる）５２を有する。カバーパネル５２は概して、ゴア５４および弾性パネル５６を覆うように配置される。好ましくは、カバーパネルは、ゴア５４および弾性パネル５６の略全てを覆い隠す。弾性パネル５６は、パネル２２、２４が互いにかなり引き離されたときに露出して、パネル５６がカバーパネル５２の縁を越えて伸張するようにする。しかしながら、好ましくは、このことが行われるのにパネル５６がかなり伸張することが必要とされる。
【００２９】
一実施形態では、カバーパネル５２は、アウトソール３０から上方にアッパー２０の外側に弾性パネル５６を覆うように延び、次に、アウトソール３０に向って下方にアッパーの内側に延びる。カバーパネルは、縫合部５１によるか、あるいはステープル、接着剤、リベット等の任意の他の従来の締結手段によりアッパーの外側および／または内側に固定することができる。図２および図３に示すように、縫合部５１は、アウトソール３０から上方にカバーパネル５２の両縁に沿って、アッパー２０の深さＤに沿って延び、次に、カバーパネルの幅５３を横架し、続いて、カバーパネル５２の縁に沿ってアウトソール３０に向って下方に延びる。カバーパネル５２は、同様にして、アッパーの内側に縫合され、所望の場合、縫合部は、アッパー２０の外側のカバーパネル５２、アッパー２０、およびアッパー２０の内側のカバーパネル５２をくまなく通ってもよい。
【００３０】
カバーパネル５２およびアッパー２０が接合される領域では、さらなるヒールパネルが効果的に形成される。このヒールパネルは、靴１０の剛性を高め、この靴のヒール部２６に与えられる構造支持を高める。しかしながら、任意選択的な実施形態では、カバーパネルは、アッパー２０にカバーパネル５２を締結するのに十分な距離だけゴア５４の最下部の下に延びる。
【００３１】
図１および図３を参照すると、縫合部５１は、ゴア５４に対応する、アッパーの深さＤの部分よりも上には延びていない。この縫合パターン、あるいは他の締結手段により実施される他の同様の固定パターンの場合、たとえば足を開口４０に挿入したときに、側部パネル２２、２４が引き離される際にゴアが開き見え、したがって開口４０が拡がる。
【００３２】
図示した実施形態では、カバーパネルは、ゴア５４および／または弾性パネル５６の周囲のアッパー２０部分には固定されない。よって、カバーパネル５２が弾性パネル５６を覆うように配置される場合であっても、弾性パネルは伸縮することができ、その伸縮または動きをカバーパネル５２が阻止または抑制することなくパネル２２、２４が図示の矢印の方向に引っ張られる。
【００３３】
カバーパネル５２は、アッパーと同じ材料、または所望に応じて他の材料から構成され得る。さらに、図５および図６に示すように、カバーパネルは任意選択的に、履き心地を高めるとともにさらに着用者の足に靴を固定するよう着用者の踵にぴったり沿うように外形を合わせられる。
【００３４】
任意選択的に、アッパー２０のカバーパネルまたは所望に応じてアッパー２０の他の部分にウェビング（webbing）４４を固定して、使用者が靴を踵が上がるように引っ張ることができるように把持ループ（grasping loop）を設けることができる。
【００３５】
ＩＩＩ．製造および組立
履物１０の製造および組立を次に説明する。当該履物は概して、（ａ）開口を画定するアッパーであって、該アッパーのヒール部に画定されたゴアを含むアッパーを設けるステップと、（ｂ）可撓性および弾性材をアッパーのゴア内に固定するステップと、（ｃ）アッパーをアウトソールと接合するステップとを用いて製造される。任意選択的に、ヒールフラップを弾性材の上に重ねて配置して、弾性材の伸縮を制限または阻止せずに弾性材の全てまたは一部を覆い隠すことで、足が開口から挿入されたときに開口が拡がるようにする。
【００３６】
より具体的には、所望のアッパー材を切断して、甲被２３、側部パネル２２、２４を含めた、アッパーの各種部材を形成する。ヒール部では、アッパー２０は、縁５５により境界を定められたゴア５４を画定するように切断される。次に、アッパー２０の部材が対合されて縫合される。ヒール部２６では、側部パネル２２、２４の端部が縫合部２５により継目２４に沿って縫い合わされる。深さＤの上部にあるパネルの両端は、ゴア５４を画定するよう自由なままである。対合ステップの際にアッパー２０内にライニング（図示せず）を縫着することもできる。
【００３７】
別のステップでは、パネル５６はゴアの縁５５に固定される。図３で示すように、パネル５６は縫合部５７により縁５５に固定される。具体的には、パネルは側部パネル２２、２４の自由端に縫合される。パネルが縁の部分のみに固定される場合、縫合部はそれらの各部分にのみ位置する。ゴアが任意選択的に複数の側部パネルではなく１つのヒールパネル（図示せず）によって画定される場合、弾性パネルはヒール部に直接縫着される。
【００３８】
図１および図３に示すカバーパネル５２は、別のステップでは適所に固定される。具体的には、カバーパネルはゴア５４および弾性パネル５６を覆うように配置されて、パネルの一部分がアッパー２０の内側に下方に折り返され、別部分がアッパー２０の外側に下方に折り返されるようにする。カバーパネル５２は、従来の締結手段によりアッパー２０の内側および／または外側に固定される。一実施形態では、カバーパネル５２は、ゴア５４の下のエリアにあるアッパー２０に固定されて、そのエリア内に剛性ヒールパネルを形成する。任意選択的に、把持ループ４４がカバーパネル５２に固定される。
【００３９】
さらに別のステップでは、従来の技術および装置を用いて製造されるアウトソール３０は、アウトソールに固定される。たとえば、一実施形態では、アウトソールおよびアッパーは互いに縫合される。別の実施形態では、アッパーはミッドソールに固定され、アウトソールはアッパーおよびミッドソールに合わせて成形される。さらに別の実施形態では、アッパーはアウトソールシェル（図示せず）に固定され、およびフットベッド（図示せず）はアウトシェルに配置される。
【００４０】
最後に、複数の従来の仕上げ作業が靴１０に施される。たとえば、アウトソール３０の縁は整形され、アッパーは必要に応じて磨かれて手入れされる。
【００４１】
上記の説明は、本発明の好適な実施形態の説明である。均等論を含めた特許法の原則に従って解釈され得る添付の特許請求の範囲に定義される本発明の精神およびより広い態様から逸脱することなく、様々な代替および変更を行うことができる。たとえば、「１つ（a、an）」または「その（the）」を用いて請求項の要素を単数にて言及することはいずれも、要素を単数に制限するものと解釈されるべきではない。
【図面の簡単な説明】
【００４２】
【図１】本発明のスリッポンシステムを組み込んだ履物製品の後方斜視図である。
【図２】履物製品の後部立面図である。
【図３】スリッポンシステムの弾性ゴアを示した履物製品の後部立面図である。
【図４】履物製品の上面図である。
【図５】履物製品の前方斜視図である。
【図６】履物製品の左側立面図であり、右側はこの図の鏡像である。
【符号の説明】
【００４３】
２０  アッパー、２２  側部パネル、２３  甲被、２６  ヒール部、２７  先端、２８  前足部、３０  アウトソール、４０  開口、４２  周縁、５２  カバーパネル、５４  ゴア、５５  縁、５６  パネル。
【図１】
2004160234.tif 000003
【図２】
2004160234.tif 000004
【図３】
2004160234.tif 000005
【図４】
2004160234.tif 000006
【図５】
2004160234.tif 000007
【図６】
2004160234.tif 000008